(57)【要約】【課題】オペレータ等が予約受付時に検査時間を選択する際の作業負荷を低減するとともに、高周波コイルの入れ替え作業の作業負荷および作業時間を低減する。【解決手段】実施形態にかかる演算装置は、取得部と、設定部と、出力部とを備える。取得部は、予約対象の検査の撮像条件に含まれる高周波コイルの情報、または、検査における被検体の撮像対象部位を示す情報を取得する。設定部は、検査の予約の登録が可能な空き時間枠のうち、予約を登録した場合の高周波コイルの入れ替え回数が少なくなる空き時間枠ほど、予約の登録の優先度を高く設定する。出力部は、空き時間枠と優先度とを対応付けて出力する。【選択図】図２
2020046695.tif 000002
【特許請求の範囲】
【請求項１】
予約対象の検査の撮像条件に含まれる高周波コイルの情報、または、前記検査における被検体の撮像対象部位を示す情報を取得する取得部と、
前記検査の予約の登録が可能な空き時間枠のうち、前記予約を登録した場合の前記高周波コイルの入れ替え回数が少なくなる前記空き時間枠ほど、前記予約の登録の優先度を高く設定する設定部と、
前記空き時間枠と前記優先度とを対応付けて出力する出力部と、
を備える演算装置。
【請求項２】
前記設定部は、前記空き時間枠の前または後の予約済みの時間枠で使用される前記高周波コイルが予約対象の検査で使用される高周波コイルと同一の場合に、前記空き時間枠の優先度を、最も高い第１の優先度に設定する、
請求項１に記載の演算装置。
【請求項３】
前記設定部は、前記空き時間枠の前または後の予約済みの時間枠で使用される前記高周波コイルが予約対象の検査で使用される高周波コイルと同一ではない場合であって、前記空き時間枠の前または後の予約済みの時間枠で使用される前記高周波コイルが、予約対象の検査で使用される高周波コイルと同時に設置可能である場合に、前記空き時間枠の優先度を、前記第１の優先度よりも低い第２の優先度に設定する、
請求項２に記載の演算装置。
【請求項４】
前記設定部は、前記空き時間枠の前または後の予約済みの時間枠で使用される前記高周波コイルが予約対象の検査で使用される高周波コイルと同一ではない場合であって、前記空き時間枠の前または後の予約済みの時間枠で使用される前記高周波コイルが軽量である場合に、前記空き時間枠の優先度を、前記第１の優先度よりも低い第２の優先度に設定する、
請求項２に記載の演算装置。
【請求項５】
前記設定部は、前記空き時間枠の前または後の予約済みの時間枠で使用される前記高周波コイルが、予約対象の検査で使用される高周波コイルと同一ではなく、かつ、予約対象の検査で使用される高周波コイルと同時に設置可能ではない場合であって、前記空き時間枠の前または後の予約済みの時間枠で使用される前記高周波コイルが軽量である場合に、前記空き時間枠の優先度を、前記第２の優先度よりも低い第３の優先度に設定する、
請求項３に記載の演算装置。
【請求項６】
前記設定部は、前記空き時間枠の前または後の予約済みの時間枠で使用される前記高周波コイルが、予約対象の検査で使用される高周波コイルと同一ではなく、かつ、予約対象の検査で使用される高周波コイルと同時に設置可能ではない場合に、前記空き時間枠の優先度を、前記空き時間枠の前または後の予約済みの時間枠で使用される前記高周波コイルの重量に応じた第４の優先度に設定する、
請求項２または３に記載の演算装置。
【請求項７】
前記第４の優先度は、前記空き時間枠の前または後の予約済みの時間枠で使用される前記高周波コイルの重量が軽いほど、優先度が高くなる、
請求項６に記載の演算装置。
【請求項８】
過去の検査実績における前記高周波コイルの種類別の使用時間の割合を記憶する記憶部、を更に備え、
前記設定部は、前記高周波コイルの種類別の使用時間の割合に基づいて、前記高周波コイルの種類別に、検査のための１以上の時間枠が連続する検査時間の範囲を設定する、
請求項１から７のいずれか１項に記載の演算装置。
【請求項９】
撮像対象部位と、当該撮像対象部位を撮像するために使用される前記高周波コイルとを予め対応付けて記憶する記憶部をさらに備え、
前記設定部は、前記取得部によって取得された撮像対象部位を示す情報と、前記記憶部に記憶された情報とに基づいて、予約対象の検査に使用される前記高周波コイルを特定する、
請求項１から８のいずれか１項に記載の演算装置。
【請求項１０】
請求項１から９のいずれか１項に記載の演算装置と、受付装置と、表示装置と、を含む医用情報処理システムであって、
前記受付装置は、前記被検体の検査の予約を受け付け、
前記表示装置は、前記演算装置から出力された前記空き時間枠と前記優先度とを対応付けて表示する、
医用情報処理システム。
【発明の詳細な説明】
【技術分野】
【０００１】
本発明の実施形態は、演算装置および医用情報処理システムに関する。
【背景技術】
【０００２】
従来、病院において磁気共鳴イメージング装置による検査の予約を受け付ける際には、オペレータ等が、患者の希望時間と予約の空き時間とを考慮して予約時間を決定していた。
【０００３】
また、このような磁気共鳴イメージング装置では、撮像対象の身体の部位によって異なる高周波コイルを使用するため、撮像対象の身体の部位が異なる検査予約が連続すると、高周波コイルの入れ替え作業が必要となる。
【先行技術文献】
【特許文献】
【０００４】
【特許文献１】特開２００６−１６３６７６号公報
【特許文献２】特開２００７−２６７７７３号公報
【特許文献３】特開２０１０−２３３９６５号公報
【特許文献４】特開２０１１−０６２５７１号公報
【発明の概要】
【発明が解決しようとする課題】
【０００５】
本発明が解決しようとする課題は、オペレータ等が予約受付時に検査時間を選択する際の作業負荷を低減するとともに、高周波コイルの入れ替え作業の作業負荷および作業時間を低減することである。
【課題を解決するための手段】
【０００６】
実施形態にかかる演算装置は、取得部と、設定部と、出力部とを備える。取得部は、予約対象の検査の撮像条件に含まれる高周波コイルの情報、または、検査における被検体の撮像対象部位を示す情報を取得する。設定部は、検査の予約の登録が可能な空き時間枠のうち、予約を登録した場合の高周波コイルの入れ替え回数が少なくなる空き時間枠ほど、予約の登録の優先度を高く設定する。出力部は、空き時間枠と優先度とを対応付けて出力する。
【図面の簡単な説明】
【０００７】
【図１】図１は、第１の実施形態にかかる磁気共鳴イメージング装置検査予約システムの全体構成の一例を示す図である。
【図２】図２は、第１の実施形態にかかる情報処理装置が有する機能の一例を示す図である。
【図３】図３は、第１の実施形態にかかる高周波コイル情報の一例を示す図である。
【図４】図４は、第１の実施形態にかかる同時設置可否情報の一例を示す図である。
【図５】図５は、第１の実施形態にかかる重量情報の一例を示す図である。
【図６】図６は、第１の実施形態にかかる予約受付画面の一例を示す図である。
【図７】図７は、第１の実施形態にかかる情報処理装置で実施される処理の流れの一例を示すフローチャートである。
【図８】図８は、第２の実施形態にかかる情報処理装置で実施される処理の流れの一例を示すフローチャートである。
【図９】図９は、第４の実施形態にかかる情報処理装置が有する機能の一例を示す図である。
【図１０】図１０は、第４の実施形態にかかる使用率情報の一例を示す図である。
【図１１】図１１は、第４の実施形態にかかる予約受付画面の一例を示す図である。
【図１２】図１２は、第４の実施形態にかかる情報処理装置で実施される処理の流れの一例を示すフローチャートである。
【図１３】図１３は、変形例１にかかる磁気共鳴イメージング装置検査予約システムの全体構成の一例を示す図である。
【発明を実施するための形態】
【０００８】
以下、図面を参照して、実施形態にかかる演算装置および医用情報処理システムを説明する。なお、実施形態は、以下の実施形態に限られるものではない。また、一つの実施形態に記載した内容は、原則として他の実施形態にも同様に適用可能である。
【０００９】
（第１の実施形態）
図１は、本実施形態にかかる磁気共鳴イメージング装置（ＭＲＩ）検査予約システムＳの全体構成の一例を示す図である。図１に示すように、ＭＲＩ検査予約システムＳは、情報処理装置１と、コンソール２と、磁気共鳴イメージング装置（ＭＲＩ）３とを備える。ＭＲＩ検査予約システムＳは、本実施形態における医用情報処理システムの一例である。
【００１０】
情報処理装置１は、磁気共鳴イメージング装置３を使用する検査の予約の登録のために使用される装置であり、例えば、ＰＣ（Personal  Computer）である。本実施形態の情報処理装置１は、一例として、病院の受付等に設置され、オペレータ等によって操作される。情報処理装置１は、本実施形態における演算装置の一例である。
【００１１】
磁気共鳴イメージング装置３は、被検体（患者）に高周波磁場を印加し、当該高周波磁場の影響によって被検体から発生した磁気共鳴信号に基づいて被検体内の画像を生成する装置である。磁気共鳴イメージング装置３には、被検体の撮像対象部位に応じて、異なる局所コイルが設置される。
【００１２】
局所コイルは、被検体から発生する磁気共鳴信号を受信する受信コイルの機能を有する高周波コイル（ＲＦコイル）である。局所コイルには、脊椎撮像用のＳｐｉｎｅコイル、頭部撮像用のＨｅａｄコイル、膝撮像用のＫｎｅｅコイル等の種類がある。なお、局所コイルは、被検体に高周波磁場を印加する送信コイルの機能をさらに有していてもよい。以下、本実施形態において単に高周波コイルという場合は、局所コイルを示すものとする。
【００１３】
コンソール２は、操作者による磁気共鳴イメージング装置３に対する操作を受け付けて磁気共鳴イメージング装置３の動作を制御する装置である。また、本実施形態においては、コンソール２は、情報処理装置１から送信された検査予約のスケジュールを画面上に表示する。コンソール２は、ハードウェアとしてはＰＣであるものとする。
【００１４】
また、コンソール２と、磁気共鳴イメージング装置３とは、ＭＲＩ室１００内に設置される。情報処理装置１は、ＬＡＮ２１を介してコンソール２と接続している。また、コンソール２と磁気共鳴イメージング装置３とは、専用線２２を介して接続している。
【００１５】
次に、本実施形態にかかる情報処理装置１の構成について説明する。図２は、本実施形態にかかる情報処理装置１が有する機能の一例を示す図である。図２に示すように、情報処理装置１は、入力インタフェース１１と、ディスプレイ１２と、記憶回路１３と、処理回路１４とを有する。
【００１６】
入力インタフェース１１は、操作者からの各種の入力操作を受け付け、受け付けた入力操作を電気信号に変換して処理回路１４に出力する。例えば、入力インタフェース１１は、マウスやキーボード等である。また、情報処理装置１とは別体に設けられた外部の入力機器から入力操作に対応する電気信号を受け取り、この電気信号を処理回路１４へ出力する電気信号の処理回路も入力インタフェース１１の例に含まれる。
【００１７】
ディスプレイ１２は、液晶ディスプレイやＣＲＴ（Cathode  Ray  Tube）ディスプレイであり、処理回路１４による制御の下、予約受付画面等を表示する。
【００１８】
記憶回路１３は、処理回路１４で使用される各種の情報を予め記憶する。より詳細には、記憶回路１３は、予約済み検査情報１３１と、高周波コイル情報１３２と、同時設置可否情報１３３と、重量情報１３４と、各種のプログラムとを記憶する。
【００１９】
予約済み検査情報１３１は、磁気共鳴イメージング装置３を使用する検査の登録済みの予約の時間と、撮像条件とが対応付けられた情報である。撮像条件は、磁気共鳴イメージング装置３を用いた撮像を実施するための各種の情報であり、少なくとも撮像で使用する高周波コイルの種類を示す情報を含むものとする。
【００２０】
また、図３は、本実施形態にかかる高周波コイル情報１３２の一例を示す図である。図３に示すように、高周波コイル情報１３２は、撮像対象部位と、当該撮像対象部位を撮像するために使用される高周波コイルの種類とを対応付けた情報である。
【００２１】
また、図４は、本実施形態にかかる同時設置可否情報１３３の一例を示す図である。図４に示すように、同時設置可否情報１３３は、複数の高周波コイルの組み合わせ毎に、磁気共鳴イメージング装置３の検査用の寝台に同時に設置可能であるか否かを示す情報である。例えば、ＳｐｉｎｅコイルとＨｅａｄコイルとは同時に設置可能である。また、ＳｐｉｎｅコイルとＢｒｅａｓｔコイルとは同時に設置不可であるため、Ｓｐｉｎｅコイルを寝台から取り外さなければ、Ｂｒｅａｓｔコイルを設置することはできない。
【００２２】
また、図５は、本実施形態にかかる重量情報１３４の一例を示す図である。図５に示すように、重量情報１３４は、高周波コイルの種類と重量レベルとを対応付けた情報である。重量レベルは、例えば、予め定められた閾値を基準として「重量（重い）」または「軽量（軽い）」の２段階とする。なお、重量ではなく質量を基準としても良い。
【００２３】
記憶回路１３は、例えば、ＲＡＭ（Random  Access  Memory）、フラッシュメモリ等の半導体メモリ素子、ハードディスク、光ディスク等により実現される。記憶回路１３は、本実施形態における記憶部の一例である。
【００２４】
図２に戻り、処理回路１４は、取得機能１４１と、設定機能１４２と、表示制御機能１４３と、送信機能１４４とを有する。取得機能１４１は、取得部の一例である。また、設定機能１４２は、設定部の一例である。表示制御機能１４３は、出力部の一例である。また、送信機能１４４は、送信部の一例である。
【００２５】
取得機能１４１は、予約対象の検査の撮像条件に含まれる高周波コイルの情報、または、予約対象の検査における被検体の撮像対象部位を示す情報を取得する。例えば、取得機能１４１は、オペレータ等が入力した撮像条件や、撮像対象部位を、入力インタフェース１１から取得する。また、取得機能１４１は、コンソール２から撮像条件を取得しても良い。取得機能１４１は、取得した情報を、設定機能１４２に送出する。
【００２６】
撮像条件に含まれる高周波コイルの情報は、予約対象の検査で使用される高周波コイルを指定する情報である。また、被検体の撮像対象部位を示す情報は、磁気共鳴イメージング装置３で撮像される身体の部位を示す情報であり、例えば、「脊椎」「膝」等である。
【００２７】
また、取得機能１４１は、後述の予約受付画面９０に表示された空き時間枠に対するオペレータ等の選択結果を入力インタフェース１１から取得する。取得機能１４１は、選択された空き時間枠と、予約対象の検査の撮像条件または予約対象の検査で使用される高周波コイルとを対応付けて、予約済み検査情報１３１に登録する。また、取得機能１４１は、予約済み検査情報１３１に新規予約を登録したことを、送信機能１４４に通知する。
【００２８】
設定機能１４２は、検査の予約の登録が可能な空き時間枠のうち、予約を登録した場合の高周波コイルの入れ替え回数が少なくなる空き時間枠ほど、予約の登録の優先度を高く設定する。また、設定機能１４２は、記憶回路１３に記憶された予約済み検査情報１３１を参照し、検査可能な時間帯のうち予約が登録されていない時間を、検査の予約の登録が可能な空き時間枠として特定する。
【００２９】
より詳細には、空き時間枠の前後の予約済みの時間枠で使用される高周波コイルが予約対象の検査で使用される高周波コイルと同一の場合、寝台に設置された高周波コイルの入れ替えは発生しないため、当該予約の登録に伴う高周波コイルの入れ替え回数は０回となる。この場合、予約が登録された場合に発生する作業負荷および作業時間は最も少なくなる。このため、設定機能１４２は、空き時間枠の前または後の予約済みの時間枠で使用される高周波コイルが、予約対象の検査で使用される高周波コイルと同一の場合に、当該空き時間枠の優先度を、最も高い第１の優先度に設定する。以下、「空き時間枠の前または後の予約済みの時間枠で使用される高周波コイルが、予約対象の検査で使用される高周波コイルと同一である」ことを、第１の条件という。
【００３０】
また、上記第１の条件を満たさない空き時間枠に予約が登録された場合には、入れ替え作業（高周波コイルの取り外し作業または設置作業）が発生する。ここで、設定機能１４２は、予約が登録された場合に発生する作業負荷および作業時間がより少なくなる空き時間枠を優先するように、優先度を設定する。
【００３１】
具体的には、空き時間枠の前後の予約済みの時間枠で使用される高周波コイルが予約対象の検査で使用される高周波コイルと同時に設置可能である場合には、前の検査で使用された高周波コイルを取り外さずに、次の検査で使用する高周波コイルを設置することができる。このため、設定機能１４２は、上記の第１の条件を満たさない空き時間枠について、当該空き時間枠の前後の予約済みの時間枠で使用される高周波コイルが予約対象の検査で使用される高周波コイルと同時に設置可能である場合には、当該空き時間枠の優先度を、第１の優先度よりも低い第２の優先度に設定する。また、第２の優先度が設定された空き時間枠は、優先度が設定されていない空き時間枠よりも、優先度が高いものとする。以下、「空き時間枠の前後の予約済みの時間枠で使用される高周波コイルが予約対象の検査で使用される高周波コイルと同時に設置可能である」ことを、第２の条件という。
【００３２】
また、高周波コイルの入れ替え作業が発生する場合であっても、空き時間枠の前後の予約済みの時間枠で使用される高周波コイルの重量レベルが「軽量」である場合は、重量レベルが「重量」の高周波コイルと比較して、入れ替え作業の負荷または作業時間が少なくなる。このため、設定機能１４２は、予約の登録に伴って入れ替え対象となる高周波コイルが軽量である空き時間枠を優先するように、優先度を設定する。
【００３３】
具体的には、設定機能１４２は、空き時間枠の前後の予約済みの時間枠で使用される高周波コイルの重量レベルが「軽量」であるか否かを、重量情報１３４に基づいて判断する。以下、「空き時間枠の前または後の予約済みの時間枠で使用される高周波コイルが軽量である」ことを、第３の条件という。
【００３４】
本実施形態においては、第２の条件を満たす空き時間枠と第３の条件を満たす空き時間の優先度の高さは同じであるものとする。設定機能１４２は、第１の条件を満たさない空き時間枠については、第２の条件または第３の条件のいずれかまたは両方を満たす場合に、当該空き時間枠の優先度を、第２の優先度に設定する。
【００３５】
なお、予約対象の検査および予約済みの検査で複数種類の高周波コイルが使用される場合は、設定機能１４２は、使用される高周波コイルのうち、最も重い高周波コイルを基準として第１〜第３の条件を判断する。
【００３６】
また、取得機能１４１は、第１の条件を満たす空き時間枠が無い場合には、第２の条件または第３の条件を満たす空き時間枠の優先度を、第１の優先度に設定する。設定機能１４２は、空き時間枠と、設定した優先度とを対応付けて、表示制御機能１４３に送出する。
【００３７】
また、設定機能１４２は、取得機能１４１が予約対象の検査の撮像条件ではなく、撮像対象部位を示す情報を取得した場合、取得された撮像対象部位を示す情報と、高周波コイル情報１３２とに基づいて、予約対象の検査に使用される高周波コイルを特定する。
【００３８】
表示制御機能１４３は、空き時間枠と優先度とを対応付けて、ディスプレイ１２に出力（表示）する。より詳細には、表示制御機能１４３は、優先度を表す表示を、タイムテーブル上で第１の優先度が設定された時間枠上に重畳した予約受付画面を表示することにより、空き時間枠と優先度とを対応付けて表示する。
【００３９】
図６は、本実施形態にかかる予約受付画面９０の一例を示す図である。本実施形態においては、一例として、図６に示すように、検査可能な時間帯１０：００〜１５：００を、１時間ごとに区切った時間枠の単位で検査の予約が登録されるものとする。表示制御機能１４３は、予約済み検査情報１３１に登録済みの予約の時間と、各予約に対応付けられた高周波コイルの種類と、空き時間枠と、各空き時間枠に対して設定機能１４２によって設定された優先度とを含む予約受付画面９０を、ディスプレイ１２に表示する。
【００４０】
図６に示す「最もおすすめ」は、第１の優先度を示す表示である。また、「次におすすめ」は、第２の優先度を示す表示である。図６に示すように、表示制御機能１４３は、設定機能１４２によって第１の優先度が設定された空き時間枠に「最もおすすめ」、第２の優先度が設定された空き時間枠に「次におすすめ」という表示を重畳することにより、空き時間枠と優先度を対応付けて表示する。また、表示制御機能１４３は、第１の優先度と第２の優先度のいずれも設定されていない空き時間枠は、空白として表示する。
【００４１】
オペレータは、予約受付画面９０上で「最もおすすめ」または「次におすすめ」と表示された空き時間枠を優先的に選択することで、新規予約の登録に伴う高周波コイルの入れ替え作業の作業負荷および作業時間が少ない空き時間枠を選択することができる。例えば、オペレータは、「最もおすすめ」と表示された空き時間枠と検査を受ける患者の希望時間が合致する場合には、「最もおすすめ」と表示された空き時間枠を最優先で選択する。
【００４２】
図２に戻り、送信機能１４４は、予約済み検査情報１３１に新規予約が登録された場合に、予約済み検査情報１３１をコンソール２に送信する。
【００４３】
ここで、例えば、処理回路１４の構成要素である取得機能１４１と、設定機能１４２と、表示制御機能１４３と、送信機能１４４とは、コンピュータによって実行可能なプログラムの形態で記憶回路１３に記憶されている。処理回路１４は、各プログラムを記憶回路１３から読み出し、読み出した各プログラムを実行することで、各プログラムに対応する機能を実現する。換言すると、各プログラムを読み出した状態の処理回路１４は、図２の処理回路１４内に示された各機能を有することとなる。なお、図２においては、単一の処理回路１４にて、取得機能１４１、設定機能１４２、表示制御機能１４３および送信機能１４４の各処理機能が実現されるものとして説明したが、複数の独立したプロセッサを組み合わせて処理回路１４を構成し、各プロセッサが各プログラムを実行することにより各処理機能を実現するものとしても良い。
【００４４】
上記説明において用いた「プロセッサ」という文言は、例えば、ＣＰＵ（central  preprocess  unit）、ＧＰＵ(Graphics  Processing  Unit)、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、およびフィールドプログラマブルゲートアレイ（Field  Programmable  Gate  Array：ＦＰＧＡ））等の回路を意味する。なお、記憶回路１３にプログラムを保存する代わりに、プロセッサの回路内にプログラムを直接組み込むように構成しても構わない。この場合、プロセッサは回路内に組み込まれたプログラムを読み出し実行することで機能を実現する。
【００４５】
次に、本実施形態にかかる情報処理装置１で実施される予約受付の処理の流れについて説明する。図７は、本実施形態にかかる情報処理装置１で実施される処理の流れの一例を示すフローチャートである。
【００４６】
取得機能１４１は、予約対象の検査で使用される高周波コイルを示す情報を取得したか否かを判断する（Ｓ１）。例えば、取得機能１４１は、予約対象の検査の撮像条件を入力インタフェース１１を介して取得した場合に、予約対象の検査で使用される高周波コイルを示す情報を取得したと判断する。
【００４７】
取得機能１４１は、予約対象の検査で使用される高周波コイルを示す情報を取得したと判断した場合に（Ｓ１“Ｙｅｓ”）、取得した情報を、設定機能１４２に送出する。そして、設定機能１４２は、予約済み検査情報１３１を検索して、検査可能な時間帯のうち、検査の予約が登録済みではない時間枠を、空き時間枠として特定する（Ｓ２）。
【００４８】
また、取得機能１４１は、予約対象の検査で使用される高周波コイルを示す情報を取得していないと判断した場合に（Ｓ１“Ｎｏ”）、予約対象の検査における被検体の撮像対象部位を示す情報を取得したか否かを判断する（Ｓ３）。
【００４９】
取得機能１４１は、予約対象の検査における被検体の撮像対象部位を示す情報を取得したと判断した場合に（Ｓ３“Ｙｅｓ”）、取得した情報を、設定機能１４２に送出する。
【００５０】
そして、設定機能１４２は、高周波コイル情報１３２から、取得機能１４１が取得した撮像対象部位に対応付けられた高周波コイルを検索して、予約対象の検査で使用される高周波コイルを特定する（Ｓ４）。設定機能１４２は、Ｓ４の処理の後はＳ２の処理へ進む。
【００５１】
また、取得機能１４１は、予約対象の検査における被検体の撮像対象部位を示す情報を取得していないと判断した場合は（Ｓ３“Ｎｏ”）、Ｓ１の処理に戻る。
【００５２】
設定機能１４２は、Ｓ２の処理の後に、特定した各空き時間枠の前後の予約済みの時間枠に対応付けられた撮像条件を予約済み検査情報１３１から検索する。設定機能１４２は、検索結果の撮像条件に含まれる高周波コイルを示す情報に基づいて、第１の条件を満たす空き時間枠があるか否かを判断する（Ｓ５）。
【００５３】
設定機能１４２は、第１の条件を満たす空き時間枠があると判断した場合（Ｓ５“Ｙｅｓ”）、第１の条件を満たすと判断した空き時間枠の優先度を、「最もおすすめ」（第１の優先度）に設定する（Ｓ６）。
【００５４】
次に、設定機能１４２は、第１の条件を満たさない空き時間枠の前後の予約済みの時間枠に対応付けられた撮像条件を、予約済み検査情報１３１から検索する。設定機能１４２は、検索結果の撮像条件に含まれる高周波コイルを示す情報に基づいて、第１の条件を満たさない空き時間枠のうち、第２の条件または第３の条件を満たす空き時間枠があるか否かを判断する（Ｓ７）。
【００５５】
設定機能１４２は、第２の条件または第３の条件を満たす空き時間枠があると判断した場合（Ｓ７“Ｙｅｓ”）、第２の条件または第３の条件を満たすと判断した空き時間枠の優先度を、「次におすすめ」（第２の優先度）に設定する（Ｓ８）。また、設定機能１４２は、第２の条件または第３の条件を満たす空き時間枠がないと判断した場合（Ｓ７“Ｎｏ”）、優先度が「次におすすめ」（第２の優先度）の空き時間枠は無いものと判断し、Ｓ１１の処理に進む。
【００５６】
また、設定機能１４２は、第１の条件を満たす空き時間枠がないと判断した場合（Ｓ５“Ｎｏ”）、第２の条件または第３の条件を満たす空き時間枠があるか否かを判断する（Ｓ９）。
【００５７】
設定機能１４２は、第１の条件を満たす空き時間枠がないと判断した場合であって、第２の条件または第３の条件を満たす空き時間枠があると判断した場合は（Ｓ９“Ｙｅｓ”）、第２の条件または第３の条件を満たす空き時間枠の優先度を、「最もおすすめ」（第１の優先度）に設定する（Ｓ１０）。
【００５８】
また、設定機能１４２は、第１の条件を満たす空き時間枠がないと判断した場合であって、第２の条件または第３の条件を満たす空き時間枠もないと判断した場合は（Ｓ９“Ｎｏ”）、いずれの空き時間枠にも第１の優先度または第２の優先度を設定せずに、Ｓ１１の処理に進む。
【００５９】
表示制御機能１４３は、設定機能１４２によって設定された空き時間枠と優先度とを対応付けて、予約受付画面９０に表示する（Ｓ１１）。
【００６０】
次に、取得機能１４１は、予約受付画面９０に表示された空き時間枠に対する選択結果を入力インタフェース１１から取得する（Ｓ１２）。
【００６１】
そして、取得機能１４１は、選択された空き時間枠と、予約対象の検査の撮像条件または検査で使用される高周波コイルとを対応付けて、予約済み検査情報１３１に新規予約として登録する（Ｓ１３）。また、取得機能１４１は、予約済み検査情報１３１に新規予約を登録したことを、送信機能１４４に通知する。
【００６２】
そして、送信機能１４４は、新規予約が登録された予約済み検査情報１３１を、コンソール２に対して送信する（Ｓ１４）。ここで、このフローチャートの処理は終了する。なお、送信機能１４４は、予約済み検査情報１３１を全件送信するのではなく、新規予約が登録された時間枠と、予約対象の検査の撮像条件または検査で使用される高周波コイルとを対応付けてコンソール２に対して送信するものとしても良い。
【００６３】
従来は、病院において磁気共鳴イメージング装置による検査の予約を受け付ける際に、オペレータ等が、患者の希望時間と予約の空き時間とを考慮して予約時間を決定していた。このため、例えば、検査予約の受付の際に、高周波コイルの入れ替え作業の作業負荷および作業時間を低減するように予約時間を決定することが困難な場合があった。また、検査予約の受付の際に、オペレータ等が高周波コイルの入れ替え作業の作業負荷および作業時間を低減するように予約時間を決定する場合は、オペレータ等の作業負荷が高くなる場合があった。
【００６４】
これに対して、本実施形態の情報処理装置１は、予約が登録された場合の高周波コイルの入れ替え回数が少なくなる空き時間枠ほど優先度を高く設定した上で、空き時間枠と優先度とを対応付けて出力する。このため、本実施形態の情報処理装置１によれば、オペレータ等が予約受付時に検査時間を選択する際の作業負荷を低減するとともに、高周波コイルの入れ替え作業の作業負荷および作業時間を低減することができる。
【００６５】
また、本実施形態の情報処理装置１は、空き時間枠の前または後の予約済みの時間枠で使用される高周波コイルが予約対象の検査で使用される高周波コイルと同一の場合に、当該空き時間枠の優先度を、最も高い第１の優先度に設定する。このため、本実施形態の情報処理装置１によれば、予約の登録に伴う高周波コイルの入れ替えが発生しない空き時間枠に対して最優先で予約を登録するように、オペレータ等に対して促すことができる。
【００６６】
さらに、本実施形態の情報処理装置１は、空き時間枠の前または後の予約済みの時間枠で使用される高周波コイルが予約対象の検査で使用される高周波コイルと同一ではない場合であって、当該空き時間枠の前または後の予約済みの時間枠で使用される高周波コイルが、予約対象の検査で使用される高周波コイルと同時に設置可能である場合または当該空き時間枠の前または後の予約済みの時間枠で使用される高周波コイルが軽量である場合に、当該空き時間枠の優先度を、第２の優先度に設定する。このため、本実施形態の情報処理装置１によれば、予約が登録された場合に高周波コイルの入れ替え作業が発生する場合であっても、発生する作業負荷および作業時間がより少なくなる空き時間枠の優先度がより高くなるように、優先度を設定することができる。
【００６７】
また、本実施形態の情報処理装置１は、撮像対象部位と、当該撮像対象部位を撮像するために使用される高周波コイルとを予め対応付けた高周波コイル情報１３２を記憶し、予約対象の検査における被検体の撮像対象部位を示す情報と高周波コイル情報１３２に基づいて、予約対象の検査に使用される高周波コイルを特定する。このため、本実施形態の情報処理装置１によれば、予約の受付時に詳細な撮像条件を入力しなくとも、高周波コイルの入れ替え作業の作業負荷および作業時間の少なくなるように、空き時間枠の優先度を設定することができる。
【００６８】
また、上述の第１〜第３の条件は、いずれも、予約済みの時間枠と連続する空き時間枠でなければ満たさない条件である。このため、本実施形態の情報処理装置１は、上述の第１〜第３の条件を満たす空き時間枠の優先度を高く設定することにより、予約済みの時間枠と連続する空き時間枠の優先度を高く設定することになる。このため、本実施形態の情報処理装置１によれば、検査と検査の間が長時間空くことを低減することができる。
【００６９】
なお、本実施形態ではＭＲＩ検査予約システムＳは、情報処理装置１と、コンソール２と、磁気共鳴イメージング装置３とを備えるとしたが、ＭＲＩ検査予約システムＳは、コンソール２と、磁気共鳴イメージング装置３とを含まないものとしても良い。
【００７０】
また、本実施形態の情報処理装置１が有する機能は、複数の情報処理装置によって実現されるものとしても良い。例えば、取得機能１４１と、設定機能１４２と、表示制御機能１４３とは、それぞれ異なる情報処理装置の処理回路が有する機能であっても良い。
【００７１】
また、本実施形態においては、表示制御機能１４３が出力部の一例であるとしたが、出力の手法はディスプレイ１２への表示に限定されるものではない。情報処理装置１は、例えば、空き時間枠と優先度とを対応付けた情報を、他の装置に送信（出力）する機能を備えても良い。また、優先度の表示の形式は、図６に示す例に限定されるものではない。
【００７２】
なお、情報処理装置１の設定機能１４２は、高周波コイルだけではなく、予約対象の検査または予約済みの検査で使用される機器（撮像部位の固定具等）に応じて、優先度を設定するものとしても良い。
【００７３】
（第２の実施形態）
本実施形態では、予約が登録された場合に発生する作業負荷および作業時間が少ないものほど段階的に優先度が高くなるように、優先度を設定する。
【００７４】
本実施形態の磁気共鳴イメージング装置検査予約システムＳの全体構成は、第１の実施形態と同様である。また、本実施形態の情報処理装置１は、第１の実施形態と同様に、入力インタフェース１１と、ディスプレイ１２と、記憶回路１３と、処理回路１４とを有する。記憶回路１３は、第１の実施形態と同様の情報を記憶する。
【００７５】
また、本実施形態の処理回路１４は、第１の実施形態と同様に、取得機能１４１と、設定機能１４２と、表示制御機能１４３と、送信機能１４４とを有する。取得機能１４１と、表示制御機能１４３と、送信機能１４４とは、第１の実施形態と同様の機能を有する。
【００７６】
本実施形態の設定機能１４２は、第１の実施形態の機能を備えた上で、予約が登録された場合に発生する作業負荷および作業時間が少ない空き時間ほど段階的に優先度が高くなるように、優先度を設定する。例えば、第１の条件を満たす空き時間枠に予約が登録された場合には、高周波コイルの取り外しと設置の作業のいずれも発生しない。また、第１の条件を満たさない空き時間枠であっても、第２の条件を満たす場合には、高周波コイルの取り外しの作業は発生せず、設置の作業のみが発生する。これに対して、第１の条件および第２の条件を満たさない空き時間枠のうち、第３の条件を満たす空き時間枠に予約が登録された場合には、高周波コイルの取り外しと設置の両方の作業が発生する。本実施形態の設定機能１４２は、このように段階的に変化する作業負荷および作業時間に応じて、優先度を多段階で設定する。
【００７７】
具体的には、本実施形態の設定機能１４２は、第１の条件を満たす空き時間枠に対しては、第１の実施形態と同様に第１の優先度を設定する。また、設定機能１４２は、第１の条件を満たさない空き時間枠のうち、第２の条件を満たす空き時間枠に対しては、第１の実施形態と同様に第２の優先度を設定する。そして、設定機能１４２は、第１の条件および第２の条件を満たさない空き時間枠のうち、第３の条件を満たす空き時間枠に対しては、第２の優先度よりも低い第３の優先度に設定する。
【００７８】
換言すれば、本実施形態の設定機能１４２は、空き時間枠の前または後の予約済みの時間枠で使用される高周波コイルが、予約対象の検査で使用される高周波コイルと同一ではなく、かつ、予約対象の検査で使用される高周波コイルと同時に設置可能ではない場合であって、空き時間枠の前または後の予約済みの時間枠で使用される高周波コイルが軽量である場合に、空き時間枠の優先度を、第２の優先度よりも低い第３の優先度に設定する。また、第３の優先度が設定された空き時間枠は、優先度が設定されていない空き時間枠よりも、優先度が高いものとする。
【００７９】
図８は、本実施形態にかかる情報処理装置１で実施される処理の流れの一例を示すフローチャートである。Ｓ１の予約対象の検査で使用される高周波コイルを示す情報の取得処理から、Ｓ６の第１の条件を満たす空き時間枠に対して「最もおすすめ」（第１の優先度）を設定する処理までは、第１の実施形態と同様である。
【００８０】
本実施形態の設定機能１４２は、第１の条件を満たさない空き時間枠のうち、第２の条件を満たす空き時間枠があるか否かを判断する（Ｓ２１）。設定機能１４２は、第２の条件を満たす空き時間枠があると判断した場合に（Ｓ２１“Ｙｅｓ”）、当該空き時間枠に対して「次におすすめ」（第２の優先度）を設定する（Ｓ２２）。
【００８１】
次に、設定機能１４２は、第１の条件および第２の条件を満たさない空き時間枠のうち、第３の条件を満たす空き時間枠があるか否かを判断する（Ｓ２３）。設定機能１４２は、第３の条件を満たす空き時間枠があると判断した場合に（Ｓ２３“Ｙｅｓ”）、当該空き時間枠に対して「３番目におすすめ」（第３の優先度）を設定する（Ｓ２４）。また、設定機能１４２は、第３の条件を満たす空き時間枠がないと判断した場合は（Ｓ２３“Ｎｏ”）、「３番目におすすめ」の空き時間枠は無いと判断し、Ｓ３３の処理へ進む。
【００８２】
図８のＳ２５〜Ｓ２８に示すように、設定機能１４２は、第１の条件を満たす空き時間枠が無い場合には、第２の条件を満たす空き時間枠の優先度を、「最もおすすめ」（第１の優先度）に設定し、第３の条件を満たす空き時間枠の優先度を、「次におすすめ」（第２の優先度）に設定する。また、Ｓ２９、Ｓ３０に示すように、第１の条件を満たす空き時間枠があるが、第２の条件を満たす空き時間枠が無い場合には、設定機能１４２は、第３の条件を満たす空き時間枠の優先度を、「次におすすめ」（第２の優先度）に設定する。また、Ｓ３１、Ｓ３２に示すように、設定機能１４２は、第１の条件または第２の条件を満たす空き時間枠が無い場合には、第３の条件を満たす空き時間枠の優先度を、「最もおすすめ」（第１の優先度）に設定する。また、設定機能１４２は、第１〜第３の条件を満たす空き時間枠が無い場合には、いずれの空き時間枠にも優先度を設定せずに、Ｓ３３の処理に進む（Ｓ３１“Ｎｏ”）。
【００８３】
表示制御機能１４３は、設定機能１４２によって設定された空き時間枠と優先度とを対応付けて、予約受付画面９０に表示する（Ｓ３３）。本実施形態においては、表示制御機能１４３は、各空き時間枠に設定された優先度に応じて「最もおすすめ」、「次におすすめ」、「３番目におすすめ」、空白、のいずれかを表示する。Ｓ１２の空き時間枠の選択結果の取得からＳ１４の予約結果の送信の処理までは、第１の実施形態と同様である。
【００８４】
このように、本実施形態の情報処理装置１では、第１の条件および第２の条件を満たさない空き時間枠のうち、第３の条件を満たす空き時間枠に対して、第１の条件または第２の条件を満たす空き時間枠の優先度よりも低い優先度を設定する。このため、本実施形態の情報処理装置１によれば、第１の実施形態の効果に加えて、予約の登録によって発生する作業負荷および作業時間に応じて優先度を多段階で設定するため、発生する作業負荷および作業時間がより少ない空き時間枠ほど、優先度が高くなるように優先度を設定することができる。
【００８５】
（第３の実施形態）
上述の第１、第２の実施形態では、空き時間枠の前または後の予約済みの時間枠で使用される高周波コイルの重量レベルが「軽量」である場合に、優先度を高く設定していた。本実施形態では、第１の条件および第２の条件を満たさない空き時間枠に対して、空き時間枠の前または後の予約済みの時間枠で使用される高周波コイルの重量が軽いほど、優先度を高く設定する。
【００８６】
本実施形態の磁気共鳴イメージング装置検査予約システムＳの全体構成は、第１の実施形態と同様である。本実施形態の情報処理装置１は、第１の実施形態と同様に、入力インタフェース１１と、ディスプレイ１２と、記憶回路１３と、処理回路１４とを有する。
【００８７】
また、本実施形態の記憶回路１３は、第１の実施形態と同様に、予約済み検査情報１３１と、高周波コイル情報１３２と、同時設置可否情報１３３と、重量情報１３４と、各種のプログラムとを記憶する。予約済み検査情報１３１と、高周波コイル情報１３２と、同時設置可否情報１３３と、各種のプログラムとは、第１の実施形態と同様である。
【００８８】
本実施形態の重量情報１３４は、高周波コイルの種類ごとに、重量の値が対応付けられた情報である。
【００８９】
また、本実施形態の処理回路１４は、第１の実施形態と同様に、取得機能１４１と、設定機能１４２と、表示制御機能１４３と、送信機能１４４とを有する。取得機能１４１と、送信機能１４４とは、第１の実施形態と同様の機能を有する。
【００９０】
本実施形態の設定機能１４２は、第１の実施形態の機能を備えた上で、第１の条件および第２の条件を満たさない空き時間枠に対して、空き時間枠の前または後の予約済みの時間枠で使用される高周波コイルの重量が軽いほど、優先度を高く設定する。
【００９１】
より詳細には、設定機能１４２は、空き時間枠の前または後の予約済みの時間枠で使用される高周波コイルが、予約対象の検査で使用される高周波コイルと同一ではなく、かつ、予約対象の検査で使用される高周波コイルと同時に設置可能ではない場合に、当該空き時間枠の前または後の予約済みの時間枠で使用される高周波コイルの重量を、重量情報１３４から取得する。そして、設定機能１４２は、当該空き時間枠の優先度を、当該空き時間枠の前または後の予約済みの時間枠で使用される高周波コイルの重量に応じた第４の優先度に設定する。換言すれば、設定機能１４２は、第１の条件および第２の条件を満たさない空き時間枠に対して、前または後の予約済みの時間枠で使用される高周波コイルの重量に応じて多段階の優先度を設定する。
【００９２】
また、第４の優先度は、空き時間枠の前または後の予約済みの時間枠で使用される高周波コイルの重量が軽いほど、優先度が高くなるものとする。
【００９３】
このように、本実施形態の情報処理装置１によれば、第１の実施形態の効果に加えて、第１の条件および第２の条件を満たさない空き時間枠に対して、予約が登録された場合に発生する作業負荷を多段階に設定するため、優先度をより高精度に設定することができる。
【００９４】
（第４の実施形態）
上述の第１〜第３の実施形態では、空き時間枠の前後の予約済み時間枠で使用される高周波コイルの種類に応じて、当該空き時間枠の優先順位が設定されていた。これに対して、本実施形態の情報処理装置１は、予約が登録可能な検査時間の範囲を、高周波コイルの種類別に予め設定する。
【００９５】
図９は、本実施形態にかかる情報処理装置１００１が有する機能の一例を示す図である。本実施形態の情報処理装置１は、第１の実施形態と同様に、入力インタフェース１１と、ディスプレイ１２と、記憶回路１３と、処理回路１４とを有する。
【００９６】
本実施形態の記憶回路１３は、予約済み検査情報１３１と、高周波コイル情報１３２と、同時設置可否情報１３３と、重量情報１３４と、使用率情報１３５と、予約テーブル１３６と、各種のプログラムとを記憶する。予約済み検査情報１３１と、高周波コイル情報１３２と、同時設置可否情報１３３と、重量情報１３４と、各種のプログラムとは、第１の実施形態と同様である。
【００９７】
使用率情報１３５は、過去の検査実績における高周波コイルの種類別の使用時間の割合を示す情報である。
【００９８】
図１０は、本実施形態にかかる使用率情報１３５の一例を示す図である。図１０に示す「使用率」は、過去に磁気共鳴イメージング装置３で実施された検査時間の合計に対して、各高周波コイルが検査に使用された時間が占める割合（％）である。
【００９９】
図９に戻り、予約テーブル１３６は、高周波コイルの種類別の検査時間の範囲を示すタイムテーブルである。予約テーブル１３６は、設定機能１１４２によって設定される。
【０１００】
また、本実施形態の処理回路１４は、取得機能１４１と、設定機能１１４２と、表示制御機能１１４３と、送信機能１４４とを有する。取得機能１４１と、送信機能１４４とは、第１の実施形態と同様の機能を有する。
【０１０１】
本実施形態の設定機能１１４２は、第１の実施形態の機能を備えた上で、使用率情報１３５に基づいて、高周波コイルの種類別に、検査のための１以上の時間枠が連続する検査時間の範囲を設定する。設定機能１１４２は、設定した高周波コイルの種類別の検査時間の範囲を、予約テーブル１３６として記憶回路１３に保存する。検査時間の範囲の設定の手法の詳細は後述する。
【０１０２】
また、設定機能１１４２は、各高周波コイルの種類ごとの検査時間の範囲に含まれる各時間枠に対して、第１〜第３の実施形態のいずれかの手法によって、優先度を設定するものとする。
【０１０３】
また、本実施形態の表示制御機能１１４３は、設定機能１１４２によって設定された予約テーブル１３６を含む予約受付画面１０９０を、ディスプレイ１２上に表示する。
【０１０４】
図１１は、本実施形態にかかる予約受付画面１０９０の一例を示す図である。図１１に示すように、予約受付画面１０９０には、予約テーブル１３６が表示される。図１１に示すように、予約テーブル１３６は、高周波コイルの種類別に、予約が登録可能な検査時間の範囲が設定されている。高周波コイルの種類別の各検査時間の範囲は、１以上の時間枠が連続する時間範囲である。例えば、図１１に示す「Ｈｅａｄコイル使用枠」は、Ｈｅａｄコイルを使用する検査の予約が登録可能な検査時間の範囲の一例である。図１１に示す例では、４月５日から４月６日にかけて１０個の時間枠が連続する時間範囲が、「Ｈｅａｄコイル使用枠」として設定されている。高周波コイルの種類別の検査時間の範囲は、各高周波コイルの種類に対応付けられた検査時間の範囲ともいう。
【０１０５】
表示制御機能１１４３は、予約対象の検査で使用される高周波コイルの種類に対応付けられた検査時間の範囲を強調して表示しても良い。また、表示制御機能１１４３は、予約対象の検査で使用される高周波コイルの種類に対応付けられた検査時間の範囲のみを予約受付画面１０９０上に表示しても良い。
【０１０６】
図１２は、本実施形態にかかる情報処理装置１００１で実施される処理の流れの一例を示すフローチャートである。
【０１０７】
まず、設定機能１１４２は、使用率情報１３５から、高周波コイルの種類別の使用率を検索する（Ｓ１０１）。そして、設定機能１１４２は、予め定められた設定対象期間内の時間枠に対して、使用率が高い高周波コイルから順に、使用率に応じた検査時間の範囲を設定する（Ｓ１０２）。
【０１０８】
例えば、図１１に示す例では、予め定められた設定対象期間は４月５日から４月８日の４日間であるとする。設定機能１１４２は、設定対象期間に対して、まず、最も使用率の高いＨｅａｄコイルの検査時間の範囲を連続する時間範囲として設定する。Ｈｅａｄコイルの使用率は５０％であるため、設定機能１１４２は、４日間の検査時間の５０％に当たる２日間をＨｅａｄコイル使用枠とする。
【０１０９】
そして、設定機能１１４２は、次に使用率が高いＳｐｉｎｅコイル、Ｂｒｅａｓｔコイルの使用枠を、それぞれ連続する時間範囲として設定する。設定機能１１４２は、４月７日のＳｐｉｎｅコイル使用枠の後にＢｒｅａｓｔコイル使用枠を設定すると、Ｂｒｅａｓｔコイル使用枠が７日と８日とに分断されるため、４月７日の１４：００からの時間枠ではなく、４月８日１０：００の時間枠から、Ｂｒｅａｓｔコイル使用枠を設定する。
【０１１０】
最後に、設定機能１１４２は、使用率が最も低いＫｎｅｅコイルと、Ｗｒｉｓｔコイルの使用枠を、空き時間枠に設定する。設定機能１１４２は、このように、使用率が高い高周波コイルから順に、１以上の時間枠が連続する時間範囲を検査時間の範囲として設定することにより、使用率が高い高周波コイルによる検査が分断されず、効率良く検査が実施可能な予約テーブル１３６を生成することができる。なお、予め定められた設定対象期間はこれに限定されるものではなく、１週間単位でも良いし、１日単位でも良い。
【０１１１】
そして、設定機能１１４２は、設定した検査時間の範囲を、予約テーブル１３６として記憶回路１３に保存する（Ｓ１０３）。
【０１１２】
次に、取得機能１４１は、検査の予約を受け付けたか否かを判断する（Ｓ１０４）。例えば、取得機能１４１は予約対象の検査の撮像条件に含まれる高周波コイルの情報、または、予約対象の検査における被検体の撮像対象部位を示す情報を取得した場合に、検査の予約を受け付けたと判断する。取得機能１４１は、検査の予約を受け付けていないと判断した場合は（Ｓ１０４“Ｎｏ”）、Ｓ１０４の処理を繰り返す。
【０１１３】
取得機能１４１は、検査の予約を受け付けたと判断した場合は（Ｓ１０４“Ｙｅｓ”）、予約を受け付けたことを取得機能１４１および表示制御機能１１４３に通知する。また、取得機能１４１は、予約対象の検査における被検体の撮像対象部位を示す情報を取得した場合は、設定機能１１４２に当該情報を送信する。この場合は、設定機能１１４２は、予約対象の検査で使用される高周波コイルを特定し、表示制御機能１１４３に送出する。
【０１１４】
また、設定機能１１４２は、予約対象の検査で使用される高周波コイルの種類と、予約済み検査情報１３１から特定した空き時間枠とに基づいて、各高周波コイルの種類ごとの検査時間の範囲に含まれる各時間枠の優先度を設定する。
【０１１５】
そして、表示制御機能１１４３は、予約テーブル１３６を含む予約受付画面１０９０を、ディスプレイ１２上に表示する（Ｓ１０５）。この際、表示制御機能１１４３は、予約テーブル１３６上で、予約対象の検査で使用される高周波コイルの種類に対応付けられた検査時間の範囲内の空き時間枠に対して、設定機能１１４２によって設定された優先度を対応付けて表示する。例えば、予約対象の検査で使用される高周波コイルが「Ｈｅａｄコイル」である場合、表示制御機能１１４３は、「Ｈｅａｄコイル使用枠」内の各空き時間枠に重畳して、「最もおすすめ」等の優先度を示す情報を表示する。また、表示制御機能１１４３は、予約テーブル１３６上の各時間枠のうち、予約済みの時間枠については、予約済みであることを予約受付画面１０９０上に表示する。
【０１１６】
Ｓ１０６の空き時間枠の選択結果の取得から、Ｓ１０８の予約結果の送信までは、図７で説明した第１の実施形態のＳ１２〜Ｓ１４の処理と同様である。
【０１１７】
なお、図１２では、予約テーブル１３６の作成から、予約の受け付けまでを、一連の流れとして説明したが、Ｓ１０１〜Ｓ１０３の予約テーブル１３６の生成処理と、Ｓ１０４〜Ｓ１０８の予約の受け付け処理とは別個のタイミングで実行されても良い。
【０１１８】
このように、本実施形態の情報処理装置１００１は、記憶回路１３に記憶された使用率情報１３５に基づいて、高周波コイルの種類別に、検査のための１以上の時間枠が連続する検査時間の範囲を設定する。このため、本実施形態の情報処理装置１００１によれば、第１の実施形態の効果に加えて、使用率の高い高周波コイルの検査の予約を連続して登録するようにオペレータ等に促すことができ、作業効率の良い検査スケジュールを生成することができる。
【０１１９】
なお、取得機能１４１は、予約対象の検査の撮像条件に含まれる高周波コイルの情報、および予約対象の検査における被検体の撮像対象部位を示す情報を取得しない構成としても良い。例えば、取得機能１４１は、入力インタフェース１１から、予約受付画面１０９０の表示を要求するユーザの操作を受け付けた場合に、検査の予約を受け付けたと判断しても良い。当該構成を採用する場合、表示制御機能１１４３は、予約対象の検査で使用される高周波コイルの種類に関わらず、全ての種類の高周波コイルの種類の検査時間の範囲を示す予約テーブル１３６を予約受付画面１０９０に表示する。
【０１２０】
また、本実施形態では検査時間の範囲内の個々の時間枠に対して、設定機能１１４２が優先度が設定するものとしたが、設定機能１１４２は、予約対象の高周波コイルの種類に対応付けられた検査時間の範囲に含まれる空き時間枠の全てに対して第１の優先度を設定しても良い。
【０１２１】
また、本実施形態では、高周波コイルの種類別の検査時間の範囲に基づいて、オペレータ等が予約を登録する空き時間枠を選択するものとしたが、予約対象の検査で使用される高周波コイルの種類が対応付けられた検査時間の範囲内の空き時間枠に対して、設定機能１１４２が自動的に予約を登録する構成を採用しても良い。
【０１２２】
また、設定機能１１４２によって生成された予約テーブル１３６に対してユーザが手動で変更を加えることが可能な構成を採用しても良い。例えば、取得機能１４１は、ディスプレイ１２上に表示された予約テーブル１３６に対する変更操作を取得した場合に、記憶回路１３に記憶された予約テーブル１３６を変更しても良い。
【０１２３】
（変形例１）
第１〜第４の実施形態では、情報処理装置１，１００１が予約の登録に関する一連の処理を実行していたが、複数の装置によってこれらの処理が実行されても良い。
【０１２４】
図１３は、本変形例にかかる磁気共鳴イメージング装置（ＭＲＩ）検査予約システムＳ２の全体構成の一例を示す図である。ＭＲＩ検査予約システムＳ２は、ＰＣ１０１ａ，１０１ｂと、予約管理サーバ１０２と、コンソール２と、ＭＲＩ３とを備える。ＭＲＩ検査予約システムＳ２は、本実施形態における医用情報処理システムの一例である。
【０１２５】
ＰＣ１０１ａ，１０１ｂおよび予約管理サーバ１０２は、ＣＰＵなどの制御装置と、ＲＯＭやＲＡＭなどの記憶装置と、ＨＤＤ、ＣＤドライブ装置などの外部記憶装置とを備えており、通常のコンピュータを利用したハードウェア構成となっている。また、ＰＣ１０１ａ，１０１ｂは、ディスプレイなどの表示装置と、キーボードやマウスなどの入力インタフェースとを備える。
【０１２６】
ＰＣ１０１ａは、被検体の検査の予約を受け付ける。また、ＰＣ１０１ａは、予約の受け付けの際に、予約対象の検査の撮像条件に含まれる高周波コイルの情報、または、予約対象の検査における被検体の撮像対象部位を示す情報を取得し、これらの情報を予約管理サーバ１０２に送信する。ＰＣ１０１ａは、本実施形態における受付装置の一例である。
【０１２７】
また、予約管理サーバ１０２は、第１の実施形態の情報処理装置１と同様の機能を備える。あるいは、予約管理サーバ１０２は、第２〜第４の実施形態では、情報処理装置１，１００１と同様の機能を備えても良い。予約管理サーバ１０２は、本実施形態における演算装置の一例である。
【０１２８】
また、ＰＣ１０１ｂは、予約管理サーバ１０２から出力された空き時間枠と優先度とを対応付けてディスプレイに表示する。ＰＣ１０１ｂは、本実施形態における表示装置の一例である。
【０１２９】
なお、ＭＲＩ検査予約システムＳ２の構成は上述の例に限定されるものではなく、種々の構成を採用することができる。また、ＰＣ１０１ａ，１０１ｂ、および予約管理サーバ１０２の機能は上述の例に限定されるものではなく、第１〜第４の実施形態の情報処理装置１，１００１が備える機能が、ＰＣ１０１ａ，１０１ｂ、および予約管理サーバ１０２に分かれて実現されるものとしても良い。
【０１３０】
（変形例２）
また、第１〜第４の実施形態の情報処理装置１，１００１の処理回路１４を演算装置の一例とし、入力インタフェース１１を受付装置の一例とし、ディスプレイを表示装置の一例としても良い。本変形例においては、情報処理装置１，１００１を、医用情報処理システムの一例とする。
【０１３１】
以上説明した少なくとも１つの実施形態によれば、オペレータ等が予約受付時に検査時間を選択する際の作業負荷を低減するとともに、高周波コイルの入れ替え作業の作業負荷および作業時間を低減することができる。
【０１３２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３３】
１，１００１  情報処理装置
２  コンソール
３  磁気共鳴イメージング装置（ＭＲＩ）
１１  入力インタフェース
１２  ディスプレイ
１３  記憶回路
１４  処理回路
２２  専用線
９０，１０９０  予約受付画面
１００  ＭＲＩ室
１０２  予約管理サーバ
１３１  予約済み検査情報
１３２  高周波コイル情報
１３３  同時設置可否情報
１３４  重量情報
１３５  使用率情報
１３６  予約テーブル
１４１  取得機能
１４２，１１４２  設定機能
１４３，１１４３  表示制御機能
１４４  送信機能
Ｓ，Ｓ２  磁気共鳴イメージング装置検査予約システム
【図１】
2020046695.tif 000003
【図２】
2020046695.tif 000004
【図３】
2020046695.tif 000005
【図４】
2020046695.tif 000006
【図５】
2020046695.tif 000007
【図６】
2020046695.tif 000008
【図７】
2020046695.tif 000009
【図８】
2020046695.tif 000010
【図９】
2020046695.tif 000011
【図１０】
2020046695.tif 000012
【図１１】
2020046695.tif 000013
【図１２】
2020046695.tif 000014
【図１３】
2020046695.tif 000015